(57)【要約】【課題】消費電力を格段に低減し得るようにする。【解決手段】ＣＤＭＡチップセット４のＭＰＵ２は、１．２８秒間隔の周期でメインクロック生成部１３をＯＮ状態ＳＴ１、ＳＴ２、ＳＴ３、ＳＴ４、ＳＴ５、……とすることによって１．２８秒間隔の周期で処理実行モードへ移行し、当該移行する度にページングチャネル信号受信処理と合わせて信号カウント処理も実行する。これにより、従来のように１秒間隔の周期で処理実行モードへ移行しなくて済むので、１９．８〔ＭＨｚ〕の動作周波数で動作する回数を減らすことができる。この結果、携帯電話機１における消費電力を格段に低減させることができる。【選択図】        図１
2004304633.tif 000002
【特許請求の範囲】
【請求項１】
ＣＤＭＡ（Ｃｏｄｅ  Ｄｉｖｉｓｉｏｎ  Ｍｕｌｔｉｐｌｅ  Ａｃｃｅｓｓ）方式における無線通信を行う無線通信装置において、
所定信号を周期的に出力する信号出力部と、
上記信号出力部から上記所定信号が出力される度に動作して上記所定信号の出力回数をカウントするためのカウント処理を実行すると共に、予め設定された所定の動作周期で動作して基地局からの通信信号を受信するための受信処理を実行する処理実行部と
を具え、
上記信号出力部は、
上記所定信号を上記動作周期に同期して出力し、
上記処理実行部は、
上記動作周期で動作する際に上記受信処理と合わせて上記カウント処理も実行する
ことを特徴とする無線通信装置。
【請求項２】
上記信号出力部は、
上記所定信号を上記動作周期よりも短い所定の出力周期で出力する出力回路と、
上記出力回路から出力された上記所定信号を遅延させることにより、当該所定信号を上記動作周期に同期させて出力する遅延回路と
を具えることを特徴とする請求項１に記載の無線通信装置。
【発明の詳細な説明】
【０００１】
【発明の属する技術分野】
本発明は無線通信装置に関し、例えば、ＣＤＭＡ（Ｃｏｄｅ  Ｄｉｖｉｓｉｏｎ  Ｍｕｌｔｉｐｌｅ  Ａｃｃｅｓｓ）方式における無線通信を行う携帯電話機に適用して好適なものである。
【０００２】
【従来の技術】
近年、携帯電話機においては、ＭＰＵ（Ｍｉｃｒｏ  Ｐｒｏｃｅｓｓｉｎｇ  Ｕｎｉｔ）や変復調部（つまり、ＭＯＤＥＭ）等からなるＣＤＭＡチップセット（例えば、ＱＵＡＬＣＯＭＭ社製）を有しており、これによりＣＤＭＡ方式における無線通信を行い得るようになされたものがある（例えば、非特許文献１）。
【０００３】
このＣＤＭＡチップセットのＭＰＵは、所定のメインクロック生成部（例えば、温度補償水晶発振器（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ／ＴＣＸＯ））から供給されるクロックパルスに応じて例えば１９．８〔ＭＨｚ〕の動作周波数で動作することにより各種処理を実行するモード（以下、これを処理実行モードと呼ぶ）と、サブクロック生成部から供給されるクロックパルスに応じて例えば３２〔ｋＨｚ〕の動作周波数で動作することにより消費電力を抑制して動作し続けるモード（以下、これをスタンバイモードと呼ぶ）とを有している。
【０００４】
従ってこの携帯電話機におけるＣＤＭＡチップセットのＭＰＵは、例えば、ユーザによって通話を開始するための通話開始操作が行われると、スタンバイモードから処理実行モードへ移行して通話処理を実行し、当該通話処理が終了すると処理実行モードからスタンバイモードへ戻って待受け状態となるようになされている。
【０００５】
【非特許文献１】
Ｔｏｎｙ  Ｔｈｏｒｎｌｅｙ、“Ｃｈｉｐｓｅｔｓ  ｆｏｒ  ａ  Ｍｕｌｔｉ  ｍｏｄｅ  Ｗｏｒｌｄ”、〔ｏｎｌｉｎｅ〕、平成１３年５月１０日、〔平成１５年３月６日検索〕、インターネット＜ＵＲＬ：ｗｗｗ．ｑｕａｌｃｏｍｍ．ｃｏｍ／ｂｒｅｗ／ｎｅｗｓ／ｅｖｅｎｔｓ／ｄｅｖｅｌｏｐｅｒ＿ｃｏｎｆｅｒｅｎｃｅ／ＢＲＥＷ＿ｔｈｏｒｎｌｅｙ．ｐｄｆ＞
【０００６】
【発明が解決しようとする課題】
ところが実際上、このＣＤＭＡチップセットのＭＰＵは、待受け状態時においても、基地局から送出されるページングチャネル信号を受信するためのページングチャネル信号受信処理を実行するために１．２８秒間隔の周期で処理実行モードへ移行するようになされていると共に、所定のＲＴＣ（Ｒｅａｌ  Ｔｉｍｅ  Ｃｌｏｃｋ）回路から出力される割込み信号をカウントするための信号カウント処理を実行するために１秒間隔の周期で処理実行モードへ移行するようになされている。
【０００７】
このようにこのＣＤＭＡチップセットのＭＰＵは、待受け状態時においても処理実行モードへ頻繁に移行する、すなわち１９．８〔ＭＨｚ〕の動作周波数で頻繁に動作するので消費電力が大きく、これにより携帯電話機の動作可能時間が短くなってしまう問題があった。
【０００８】
本発明は以上の点を考慮してなされたもので、消費電力を格段に低減し得る無線通信装置を実現しようとするものである。
【０００９】
【課題を解決するための手段】
かかる課題を解決するために本発明においては、ＣＤＭＡ（Ｃｏｄｅ  Ｄｉｖｉｓｉｏｎ  Ｍｕｌｔｉｐｌｅ  Ａｃｃｅｓｓ）方式における無線通信を行う無線通信装置において、所定信号を周期的に出力する信号出力部と、信号出力部から所定信号が出力される度に動作して所定信号の出力回数をカウントするためのカウント処理を実行すると共に、予め設定された所定の動作周期で動作して基地局からの通信信号を受信するための受信処理を実行する処理実行部とを設け、信号出力部は、所定信号を当該動作周期に同期して出力し、処理実行部は、当該動作周期で動作する際に受信処理と合わせてカウント処理も実行するようにした。
【００１０】
処理実行部は、所定の動作周期で動作する際に受信処理と合わせてカウント処理も実行するので、従来のようにカウント処理を実行するためだけに動作しなくても良く、これにより処理実行部の動作回数を格段に低減することができる。
【００１１】
【発明の実施の形態】
以下図面について、本発明の一実施の形態を詳述する。
【００１２】
（１）携帯電話機の構成
図１において、１はＣＤＭＡ（Ｃｏｄｅ  Ｄｉｖｉｓｉｏｎ  Ｍｕｌｔｉｐｌｅ  Ａｃｃｅｓｓ）方式における無線通信を行う携帯電話機を示し、当該携帯電話機１は、ＭＰＵ（Ｍｉｃｒｏ  Ｐｒｏｃｅｓｓｉｎｇ  Ｕｎｉｔ）２と、当該ＭＰＵ２に接続されている変復調部３とによって構成されたＣＤＭＡチップセット４（例えば、ＱＵＡＬＣＯＭＭ社製）を有している。
【００１３】
このＣＤＭＡチップセット４のＭＰＵ２に対しては、ＬＣＤ（Ｌｉｑｕｉｄ  ｃｒｙｓｔａｌ  ｄｉｓｐｌａｙ）等でなる表示部５、各種操作キー等からなる操作入力部６、マイクロフォン７、スピーカ８及びメモリ９が接続されていると共に、遅延回路１０を介してＲＴＣ（Ｒｅａｌ  Ｔｉｍｅ  Ｃｌｏｃｋ）回路１１が接続されている。
【００１４】
ここでかかるメモリ９には、例えば、通話機能を実現するための通話プログラム、基地局（図示せず）から５．１２秒間隔で送出されるページングチャネル信号を受信するためのページングチャネル信号受信プログラム、後述の信号カウント処理を実行するための信号カウントプログラム等の各種プログラムが予め格納されている。
【００１５】
従ってＭＰＵ２は、通話プログラムに従って通話処理を実行したり、また当該通話処理を実行していない待受け状態時には、ページングチャネル信号受信プログラム及び信号カウントプログラムに従って、ページングチャネル信号受信処理（後述する）及び信号カウント処理（後述する）を実行するようになされている。
【００１６】
一方、変復調部３に対しては、ＲＦ（Ｒａｄｉｏ  Ｆｒｅｑｕｅｎｃｙ）部１２が接続されており、当該ＲＦ部１２に対しては図示しないアンテナ素子が接続されている。このＲＦ部１２は、例えば基地局から送出された通信波をアンテナ素子を介して検出し、当該検出結果として得られた検出信号Ｓ１を変復調部３に対して出力する。そして変復調部３はＭＰＵ２の制御に応じて、当該検出信号Ｓ１に対して所定の復調処理を施すことにより、例えば、ページングチャネル信号等を得るようになされている。
【００１７】
ところで携帯電話機１は、例えばＴＣＸＯ（ｔｅｍｐｅｒａｔｕｒｅ  ｃｏｍｐｅｎｓａｔｅｄ  ｃｒｙｓｔａｌ  ｏｓｃｉｌｌａｔｏｒ）でなるメインクロック生成部１３と、サブクロック生成部１４とを有している。
【００１８】
このメインクロック生成部１３は、ＭＰＵ２からの命令によりＯＦＦ状態からＯＮ状態になると動作開始して、１９．８〔ＭＨｚ〕のクロックパルス（以下、これをメインクロックパルスと呼ぶ）ＣＰＭを生成してこれをＭＰＵ２及び変復調部３に対して供給するようになされており、これにより当該ＭＰＵ２及び変復調部３を１９．８〔ＭＨｚ〕の動作周波数で動作させ得るようになされている。
【００１９】
またサブクロック生成部１４は、ＭＰＵ２からの命令によりＯＦＦ状態からＯＮ状態となると動作開始して、３２〔ｋＨｚ〕のクロックパルス（以下、これをサブクロックパルスと呼ぶ）ＣＰＳを生成してこれをＭＰＵ２及びＲＴＣ回路１１に対して供給するようになされており、これにより当該ＭＰＵ２及びＲＴＣ回路１１を３２〔ＫＨｚ〕の動作周波数で動作させ得るようになされている。
【００２０】
実際上、本実施の形態におけるＭＰＵ２は、消費電力を抑制して動作するモード（以下、これをスタンバイモードと呼ぶ）と、ページングチャネル信号受信処理等の各種処理を実行し得るように動作するモード（以下、これを処理実行モードと呼ぶ）とを有している。
【００２１】
すなわちＭＰＵ２は、処理実行モード時、メインクロック生成部１３をＯＮ状態とすることにより当該メインクロック生成部１３からメインクロックパルスＣＰＭの供給を受けて１９．８〔ＭＨｚ〕の動作周波数で動作し、この状態でページングチャネル信号受信処理等の各種処理を実行するようになされている。
【００２２】
またＭＰＵ２は、スタンバイモード時、メインクロック生成部１３をＯＦＦ状態とすることにより当該メインクロック生成部１３からメインクロックパルスＣＰＭの供給を受けず、サブクロック生成部１４からサブクロックパルスＣＰＳの供給のみを受けることにより３２〔ＫＨｚ〕の動作周波数で動作する。これによりスタンバイモード時のＭＰＵ２は、処理実行モード時と比べて消費電力を抑制し得るようになされている。
【００２３】
ＲＴＣ回路１１は、例えば携帯電話機１の電源が落とされてメインバッテリ（図示せず）から電力が供給されなくなった場合であってもセカンダリバッテリ（図示せず）から供給される電力により現在時刻を計時して、当該計時結果を現在時刻情報として保持しておく現在時刻計時機能を有している。
【００２４】
またこのＲＴＣ回路１１は、図２に模式的に示すように、１秒間隔の周期で割込み信号Ｓ２を生成してこれを順次出力する信号出力機能も有しており、当該出力された割込み信号Ｓ２は遅延回路１０を介してＭＰＵ２へ入力される。
【００２５】
ここでこの遅延回路１０は、ＭＰＵ２からの命令に応じてアクティブ状態又は非アクティブ状態の何れかで動作するようになされている。すなわち遅延回路１０は、ＭＰＵ２からの命令に応じてアクティブ状態となると、図２（Ａ）に示すように、ＲＴＣ回路１１から順次出力される割込み信号Ｓ２を遅延させることにより、当該割込み信号Ｓ２の周期を１．２８秒間隔の周期へ変化させる。このときＭＰＵ２に対しては、１．２８秒間隔の周期で割込み信号Ｓ２が順次入力される。
【００２６】
これに対して遅延回路１０は、ＭＰＵ２からの命令に応じて非アクティブ状態となると、図２（Ｂ）に示すように、ＲＴＣ回路１１から順次出力される割込み信号Ｓ２を遅延させず、これにより当該割込み信号Ｓ２を１秒間隔の周期のままでＭＰＵ２へ順次入力する。
【００２７】
ところでこの携帯電話機１は、例えば、ユーザにより操作入力部６を介して所定操作が行われると、図３に示すような設定画面２０を表示部５に対して表示する。そして、操作入力部６を介して当該設定画面２０中のカーソルを移動操作させることにより、携帯電話機１を省電力で作動させるための省電力機能を「オン」にするか又は「オフ」にするかを設定させ得るようになされている。
【００２８】
携帯電話機１は、かかる省電力機能が「オン」又は「オフ」に設定されると、当該設定結果を省電力設定情報としてメモリ９に記憶し、この後、例えば「省電力機能の設定変更を反映するために再起動して下さい」等の所定メッセージを表示部５に対して表示することにより、ユーザに対して携帯電話機１を再起動するよう促すようになされている。
【００２９】
（２）待受け状態時の処理実行手順
そして携帯電話機１は、例えばユーザにより操作入力部６を介して所定の再起動操作が行われると、図示しないメインバッテリからの電力供給を一旦中止した後、当該メインバッテリからの電力供給を再度開始してＭＰＵ２等の各回路部を再び駆動させ始める。
【００３０】
次にＭＰＵ２は、メモリ９に記憶されている省電力設定情報を参照することにより、省電力機能が「オン」又は「オフ」に設定されているかを判断するようになされており、例えば省電力機能が「オフ」に設定されている場合には、待受け状態時の処理実行手順ＲＴ１（図４）に従って、ページングチャネル信号受信処理及び信号カウント処理を実行する。これに対して省電力機能が「オン」に設定されている場合には、待受け状態時の処理実行手順ＲＴ２（図５）に従って、ページングチャネル信号受信処理及び信号カウント処理を実行する。
【００３１】
ここでは最初に、省電力機能が「オフ」に設定されている場合における待受け状態時の処理実行手順ＲＴ１について、図４に示すフローチャートを用いて説明する。
【００３２】
ステップＳＰ１においてＭＰＵ２は、遅延回路１０に対して所定の命令を与えることにより当該遅延回路１０を非アクティブ状態に設定して、ステップＳＰ２へ移る。
【００３３】
ステップＳＰ２においてＭＰＵ２は、ＲＴＣ回路１１が保持している現在時刻情報に基づいて現在時刻（例えば、「１７：００」）を表示部５に表示した後、ステップＳＰ３Ａ及びステップＳＰ３Ｂへ移って、ページングチャネル信号受信処理及び信号カウント処理を実行するようになされている。
【００３４】
因みに表示部５には、このステップＳＰ２が終了した後も現在時刻「１７：００」が表示され続けるようになされている。
【００３５】
ステップＳＰ３ＡにおいてＭＰＵ２は、メインクロック生成部１３をＯＮ状態ＳＴ１（図６（Ａ））とすることによってスタンバイモードから処理実行モードへ移行した後、ページングチャネル信号受信プログラムに従って受信処理を実行することにより、基地局から送出されたページングチャネル信号を受信する。そしてＭＰＵ２は当該ページングチャネル信号を受信し終えるとこの１回目の受信処理を終了し、メインクロック生成部１３をＯＦＦ状態とすることによって処理実行モードからスタンバイモードへ戻り、ステップＳＰ４Ａへ移る。
【００３６】
ところで図６（Ａ）に示すように、本実施の形態においてメインクロック生成部１３がＯＮ状態ＳＴ１となっている期間は、数１０ミリ秒間である。
【００３７】
ステップＳＰ４ＡにおいてＭＰＵ２は、１回目の受信処理を実行開始したときから１．２８秒が経過すると、メインクロック生成部１３を再びＯＮ状態ＳＴ２（図６（Ａ））とすることによりスタンバイモードから処理実行モードへ移行し、ページングチャネル信号受信プログラムに従って所定の内部処理を実行開始するようになされている。そしてＭＰＵ２は、この１回目の内部処理を終了すると、メインクロック生成部１３をＯＦＦ状態とすることにより、処理実行モードからスタンバイモードへ戻り、ステップＳＰ５Ａへ移る。
【００３８】
ステップＳＰ５ＡにおいてＭＰＵ２は、１回目の内部処理を実行開始したときから１．２８秒が経過すると、メインクロック生成部１３を再びＯＮ状態ＳＴ３（図６（Ａ））とすることによりスタンバイモードから処理実行モードへ移行し、２回目の内部処理を開始する。そしてＭＰＵ２は、当該２回目の内部処理を終了したとき、メインクロック生成部１３をＯＦＦ状態とすることによって処理実行モードからスタンバイモードへ戻り、ステップＳＰ６Ａへ移る。
【００３９】
ステップＳＰ６ＡにおいてＭＰＵ２は、２回目の内部処理を実行開始したときから１．２８秒が経過すると、メインクロック生成部１３を再びＯＮ状態ＳＴ４（図６（Ａ））とすることによりスタンバイモードから処理実行モードへ移行し、３回目の内部処理を開始する。そしてＭＰＵ２は、当該３回目の内部処理を終了したとき、メインクロック生成部１３をＯＦＦ状態とすることによって処理実行モードからスタンバイモードへ戻り、ステップＳＰ７Ａへ移る。
【００４０】
ところで図６（Ａ）に示すように、本実施の形態においてメインクロック生成部１３がＯＮ状態ＳＴ２、ＳＴ３及びＳＴ４となっている期間は、それぞれ数ミリ秒間である。
【００４１】
ステップＳＰ７ＡにおいてＭＰＵ２は、３回目の内部処理を実行開始したときから１．２８秒が経過する、すなわち１回目の受信処理を実行開始したときから５．１２秒が経過すると、メインクロック生成部１３をＯＮ状態ＳＴ５（図６（Ａ））とすることによりスタンバイモードから処理実行モードへ移行し、ページングチャネル信号受信プログラムに従って２回目の受信処理を開始し、これによりページングチャネル信号を再度受信する。そしてＭＰＵ２は、当該ページングチャネル信号を受信し終えると当該２回目の受信処理を終了し、メインクロック生成部１３をＯＦＦ状態とすることによって、処理実行モードからスタンバイモードへ戻るようになされている。
【００４２】
この後もＭＰＵ２は、ページングチャネル信号受信処理として、ステップＳＰ４Ａ乃至ステップＳＰ７Ａからなる一連の処理と同様の処理を繰り返し実行するようになされている。
【００４３】
このようにしてこのＣＤＭＡチップセット４のＭＰＵ２は、待受け状態時、１．２８秒間隔で所定の内部処理を周期的に行ってタイミングを計りながら５．１２秒間隔の周期で受信処理を正確に実行し、これにより基地局から５．１２秒間隔の周期で送出されるページングチャネル信号を確実に受信し得るようになされている。
【００４４】
一方、ステップＳＰ３ＢにおいてＭＰＵ２は、ＲＴＣ回路１１に対して所定の命令を与えることにより、当該ＲＴＣ回路１１から１秒間隔の周期で割込み信号Ｓ２を遅延回路１０へ順次出力させるようにして、ステップＳＰ４Ｂへ移る。
【００４５】
このとき遅延回路１０は、ステップＳＰ１において非アクティブ状態に設定されているので、図２（Ｂ）に示すようにＲＴＣ回路１１から順次出力された割込み信号Ｓ２を遅延させずに、１秒間隔の周期のままでＭＰＵ２へ順次出力する。
【００４６】
ステップＳＰ４ＢにおいてＭＰＵ２は、１個目の割込み信号Ｓ２が入力されたタイミングＴＭ１（図６（Ｂ））でメインクロック生成部１３をＯＮ状態ＳＴ１０（図６（Ａ））とすることにより、スタンバイモードから処理実行モードへ移行する。そして処理実行モードへ移行したＭＰＵ２は、信号カウントプログラムに従って信号カウント処理を開始し、ＭＰＵ２へ入力された割込み信号Ｓ２の総数（以下、これを入力信号総数と呼ぶ）が「１」である旨をメモリ９に記憶して当該信号カウント処理を終了すると、メインクロック生成部１３をＯＦＦ状態とすることにより処理実行モードからスタンバイモードへ戻り、ステップＳＰ５Ｂへ移る。
【００４７】
ステップＳＰ５ＢにおいてＭＰＵ２は、２個目の割込み信号Ｓ２が入力されたタイミングＴＭ２（図６（Ｂ））でメインクロック生成部１３を再びＯＮ状態ＳＴ１１（図６（Ａ））とすることにより、スタンバイモードから処理実行モードへ移行する。そして処理実行モードへ移行したＭＰＵ２は、信号カウントプログラムに従って信号カウント処理を開始し、入力信号総数が「２」である旨をメモリ９に記憶して当該信号カウント処理を終了すると、メインクロック生成部１３をＯＦＦ状態とすることにより処理実行モードからスタンバイモードへ戻る。
【００４８】
このようにＭＰＵ２は、ＲＴＣ回路１１から遅延回路１０を介して１秒間隔の周期で入力される割込み信号Ｓ２に応じて、ステップＳＰ４ＢやステップＳＰ５Ｂと同様の信号カウント処理を１秒間隔で順次実行する（つまり、ステップＳＰ６Ｂ……）。そしてＭＰＵ２は、メモリ９に記憶している入力信号総数が「６０」に至ったとき、上述のステップＳＰ２で現在時刻「１７：００」を表示部５に表示開始してから６０秒が経過したと判断し、当該現在時刻の表示を「１７：００」から「１７：０１」へ更新するようになされている。
【００４９】
このようにしてＭＰＵ２は、省電力機能が「オフ」に設定されている場合、１秒間隔の周期で処理実行モードへ移行して信号カウント処理を実行し、またこれとは別に１．２８秒間隔の周期で処理実行モードへ移行して受信処理及び内部処理からなるページングチャネル信号受信処理を実行するようになされている。
【００５０】
次に、省電力機能が「オン」に設定されている場合における待受け状態時の処理実行手順ＲＴ２について、図５（図４との対応部分に同一符号を付す）に示すフローチャートを用いて説明する。
【００５１】
ステップＳＰ１１においてＭＰＵ２は、遅延回路１０に対して所定の命令を与えることにより当該遅延回路１０をアクティブ状態に設定して、ステップＳＰ１２へ移る。
【００５２】
ステップＳＰ１２においてＭＰＵ２は、ＲＴＣ回路１１が保持している現在時刻情報に基づいて現在時刻（例えば、「１７：００」）を表示部５に表示して、ステップＳＰ３Ａ及びステップＳＰ３ＢＸへ移って、ページングチャネル信号受信処理及び信号カウント処理を実行する。
【００５３】
因みに表示部５には、このステップＳＰ１２が終了した後も現在時刻「１７：００」が表示され続けるようになされている。
【００５４】
ところで、このルーチンＲＴ２におけるページングチャネル信号受信処理は、上述のルーチンＲＴ１におけるページングチャネル信号受信処理と同様の処理であることにより、ここでは説明を省略する。
【００５５】
すなわち、ステップＳＰ３ＢＸにおいてＭＰＵ２は、ＲＴＣ回路１１に対して所定の命令を与えることにより、当該ＲＴＣ回路１１から１秒間隔の周期で割込み信号Ｓ２を遅延回路１０へ順次出力させるようにして、ステップＳＰ４ＢＸへ移る。
【００５６】
このとき遅延回路１０は、ステップＳＰ１１においてアクティブ状態に設定されているので、図２（Ａ）に示すようにＲＴＣ回路１１から順次出力される割込み信号Ｓ２を遅延させる。これにより、ＲＴＣ回路１１から順次出力された割込み信号Ｓ２は、１．２８秒間隔の周期でＭＰＵ２へ順次入力される。
【００５７】
ところで、ＲＴＣ回路１１は、ＭＰＵ２からの命令に応じた所定のタイミングで割込み信号Ｓ２の出力を開始するようになされている。これにより、ページングチャネル信号受信処理のステップＳＰ３ＡにおいてＭＰＵ２が１回目の受信処理を実行しているとき、１個目の割込み信号Ｓ２がＭＰＵ２へ入力される。
【００５８】
ステップＳＰ４ＢＸにおいてＭＰＵ２は、１個目の割込み信号Ｓ２が入力されたタイミングＴＭ１Ｘ（図７（Ｂ））、すなわち１回目の受信処理を実行するためにメインクロック生成部１３をＯＮ状態ＳＴ１（図７（Ａ））にして処理実行モードで動作しているとき、当該受信処理と合わせて信号カウント処理も実行する。そしてＭＰＵ２は、入力信号総数が「１」である旨をメモリ９に記憶して当該信号カウント処理を終了すると、ステップＳＰ５ＢＸへ移る。
【００５９】
ステップＳＰ５ＢＸにおいてＭＰＵ２は、１個目の割込み信号Ｓ２が入力されてから１．２８秒が経過して２個目の割込み信号Ｓ２が入力されたタイミングＴＭ２Ｘ（図７（Ｂ））、すなわち１回目の内部処理を実行するためにメインクロック生成部１３をＯＮ状態ＳＴ２（図７（Ａ））にして処理実行モードで動作しているとき、当該内部処理と合わせて信号カウント処理も実行する。そしてＭＰＵ２は、入力信号総数が「２」である旨をメモリ９に記憶して当該信号カウント処理を終了すると、ステップＳＰ６ＢＸへ移る。
【００６０】
このようにＭＰＵ２は、ＲＴＣ回路１１から遅延回路１０を介し１．２８秒間隔の周期で入力される割込み信号Ｓ２に応じて、ステップＳＰ４ＢＸやステップＳＰ５ＢＸと同様の処理を１．２８秒間隔で順次実行する（つまり、ステップＳＰ６ＢＸ……）。
【００６１】
そしてＭＰＵ２は、メモリ９に記憶している入力信号総数が「４７」に至ったとき、上述のステップＳＰ１２で現在時刻「１７：００」を表示部５に表示開始してから約６０秒が経過したと判断し、当該現在時刻の表示を「１７：００」から「１７：０１」へ変更するようになされている。
【００６２】
因みにＭＰＵ２は、例えば、メモリ９に記憶している入力信号総数が「１５００」に至ったとき、上述のステップＳＰ１２で現在時刻「１７：００」を表示部５に表示開始してから正確に３２分が経過したと判断し、当該現在時刻の表示を「１７：３２」へ変更するようになされている。
【００６３】
このようにしてＭＰＵ２は、省電力機能が「オン」に設定されている場合、１．２８秒間隔の周期で処理実行モードへ移行し、当該移行する度にページングチャネル信号受信処理と合わせて信号カウント処理も実行するようになされている。
【００６４】
（３）動作及び効果
以上の構成においてＭＰＵ２は、省電力機能が「オフ」に設定されている場合の待受け状態時、図６（Ａ）に示すように、１．２８秒間隔の周期でメインクロック生成部１３をＯＮ状態ＳＴ１、ＳＴ２、ＳＴ３、ＳＴ４、ＳＴ５、……とすることによって１．２８秒間隔の周期で処理実行モードへ移行するようになされており、当該移行する度にページングチャネル信号受信処理を実行するようになされている。またこれとは別個にＭＰＵ２は、１秒間隔の周期でメインクロック生成部１３をＯＮ状態ＳＴ１０、ＳＴ１１、……とすることによって１秒間隔の周期で処理実行モードへ移行するようになされており、当該移行する度に信号カウント処理を実行するようになされている。
【００６５】
一方、ＭＰＵ２は、省電力機能が「オン」に設定されている場合の待受け状態時、図７（Ａ）に示すように、１．２８秒間隔の周期でメインクロック生成部１３をＯＮ状態ＳＴ１、ＳＴ２、ＳＴ３、ＳＴ４、ＳＴ５、……とすることによって１．２８秒間隔の周期で処理実行モードへ移行するようになされており、当該移行する度にページングチャネル信号受信処理と合わせて信号カウント処理も実行する。これによりＭＰＵ２は、１秒間隔の周期で処理実行モードへ移行しなくて済むので、省電力機能が「オフ」に設定されているときと比べて処理実行モードへ移行する回数を減らすことができる、すなわち１９．８〔ＭＨｚ〕の動作周波数で動作する回数を減らすことができる。この結果、携帯電話機１における消費電力を格段に低減させることができる。
【００６６】
これに加えて、１秒間隔の周期でメインクロック生成部１３をＯＮ状態ＳＴ１０、ＳＴ１１……としなくて済むので、これにより、省電力機能が「オフ」に設定されているときと比べてメインクロック生成部１３の動作回数を減らすことができる。この結果、携帯電話機１における消費電力を一段と低減させることができる。
【００６７】
以上の構成によれば、このＣＤＭＡチップセット４のＭＰＵ２は、１．２８秒間隔の周期でメインクロック生成部１３をＯＮ状態ＳＴ１、ＳＴ２、ＳＴ３、ＳＴ４、ＳＴ５、……とすることによって１．２８秒間隔の周期で処理実行モードへ移行し、当該移行する度にページングチャネル信号受信処理と合わせて信号カウント処理も実行する。これにより、従来のように１秒間隔の周期で処理実行モードへ移行しなくて済むので、１９．８〔ＭＨｚ〕の動作周波数で動作する回数を減らすことができる。
【００６８】
この結果、待受け状態時の消費電力を格段に低減し得る携帯電話機１を実現することができる。
【００６９】
ここで、現在広く市販されている携帯電話機（以下、これを現行の携帯電話機と呼ぶ）に対して本発明を適用することにより得られる効果の一例を以下に示す。
【００７０】
すなわち、本発明を適用した現行の携帯電話機は、省電力機能が「オン」に設定されていると、メインクロック生成部を１秒間隔の周期でＯＮ状態とする必要がなくなる、すなわちメインクロック生成部をＯＮ状態とする回数を１秒間当たり１回削減できる。
【００７１】
これにより、例えばメインクロック生成部がＯＮ状態となっているときにＣＤＭＡチップセットが消費する電流を３０ｍＡと仮定し、またメインクロック生成部がＯＮ状態となっている平均時間を４ミリ秒と仮定すると、１秒間当たり約１２０μＡに相当する電流を節約することができることになる。
【００７２】
ところで、本発明が適用される前の携帯電話機においては、例えば、６００ｍＡＨのメインバッテリによって最大待受け時間２２０Ｈｒを実現しているので、図８に示すようにメインバッテリから供給される１時間当たりの電流は２．７２ｍＡであった。そしてこの現行の携帯電話機に対して本発明を適用すると、上述したように約１２０μＡに相当する電流を節約し得るので、最大待受け時間を約４．４％向上させることができる、すなわち最大待受け時間を約１０Ｈｒ延長させることができる。
【００７３】
また本実施の形態において、ＴＣＸＯでなるメインクロック生成部１３は、例えば図９に示すように、ＭＰＵ２からの命令によりＯＮとされてから、安定したメインクロックパルスＣＰＭを出力するまで、約４ｍｓｅｃの時間（以下、この時間を不安定出力時間と呼ぶ）を要し、この不安定出力時間中は無駄な電力を消費してしまうことになる。上述したように本発明においては、メインクロック生成部１３の動作回数を減らすことができるので、これに伴って不安定出力時間も減らすことができ、この結果、携帯電話機１における消費電力を一段と低減させることができる。
【００７４】
（４）他の実施の形態
なお上述の実施の形態においては、ＣＤＭＡ方式に準拠して無線通信を行う無線通信装置として、ＣＤＭＡチップセット４を有する携帯電話機１を適用する場合について述べたが、本発明はこれに限らず、ＣＤＭＡ方式に準拠して無線通信を行うことができ且つＣＤＭＡチップセット４を有していれば、例えば、無線通信機能を有するＰＤＡ（Ｐｅｒｓｏｎａｌ  Ｄｉｇｉｔａｌ  Ａｓｓｉｓｔａｎｃｅ）等、この種々の無線通信装置を適用しても良い。
【００７５】
また上述の実施の形態においては、所定信号を周期的に出力する信号出力部として、ＲＴＣ回路１１及び遅延回路１０を適用する場合について述べたが、本発明はこれに限らず、所定信号を周期的に出力することができればこの他種々の構成を適用するようにしても良い。
【００７６】
さらに上述の実施の形態においては、信号出力部から所定信号が出力される度に動作して所定信号の出力回数をカウントするためのカウント処理（すなわち、信号カウント処理）を実行すると共に、予め設定された所定の動作周期（すなわち、１．２８秒間隔の周期）で動作して基地局からの通信信号を受信するための受信処理（すなわち、ページングチャネル信号受信処理）を実行する処理実行部として、ＭＰＵ２及びメインクロック生成部１３を適用する場合について述べたが、本発明はこれに限らず、例えば、ＣＰＵ（Ｃｅｎｔｒａｌ  Ｐｒｏｃｅｓｓｉｎｇ  Ｕｎｉｔ）等を処理実行部として適用するようにしても良い。
【００７７】
さらに上述の実施の形態においては、所定信号を動作周期よりも短い所定の出力周期（すなわち、１秒間隔の周期）で出力する出力回路として、ＲＴＣ回路１１を適用する場合について述べたが、本発明はこれに限らず、当該所定の出力周期で所定信号を出力することができれば、この他種々の構成を適用するようにしても良い。
【００７８】
さらに上述の実施の形態においては、出力回路から出力された所定信号を遅延させることにより当該所定の信号を動作周期（すなわち、１．２８秒間隔の周期）に同期させて出力する遅延回路として、遅延回路１０を適用する場合について述べたが、本発明はこれに限らず、出力回路から出力された所定信号を遅延させることにより当該所定の信号を動作周期に同期させて出力することができれば、この他種々の構成を適用するようにしても良い。
【００７９】
【発明の効果】
上述のように本発明によれば、処理実行部は、所定の動作周期で動作する際に受信処理と合わせてカウント処理も実行するので、従来のようにカウント処理を実行するためだけに動作しなくて良く、これにより処理実行部の動作回数を低減することができる。この結果、従来と比して格段に消費電力を低減し得る無線通信装置を実現することができる。
【図面の簡単な説明】
【図１】本実施の形態における携帯電話機の回路構成を示す略線図である。
【図２】割込み信号が出力される様子を示す略線図である。
【図３】設定画面を示す略線図である。
【図４】待受け状態時の処理実行手順（１）を示すフローチャートである。
【図５】待受け状態時の処理実行手順（２）を示すフローチャートである。
【図６】メインクロック生成部の状態遷移と割込み信号の入力タイミングの関係（１）を示す略線図である。
【図７】メインクロック生成部の状態遷移と割込み信号の入力タイミングの関係（２）を示す略線図である。
【図８】現行の携帯電話機における消費電流の様子を示す略線図である。
【図９】安定したクロックパルスを出力し始めるときまでの様子を示す略線図である。
【符号の説明】
１……携帯電話機、２……ＭＰＵ、４……ＣＤＭＡチップセット、１０……遅延回路、１１……ＲＴＣ回路、１３……メインクロック生成部。
【図１】
2004304633.tif 000003
【図２】
2004304633.tif 000004
【図３】
2004304633.tif 000005
【図４】
2004304633.tif 000006
【図５】
2004304633.tif 000007
【図６】
2004304633.tif 000008
【図７】
2004304633.tif 000009
【図８】
2004304633.tif 000010
【図９】
2004304633.tif 000011